(57)【要約】【課題】蓋ががたつかず、段積み時の積みずれを確実に防止でき、廃棄処理も容易な組立式コンテナを提供する。【解決手段】底体１と、周壁を形成する側板２，３及び支柱４ａ，４ｂと、蓋５とから成り、側板２，３及び蓋５の材料としてリブを有する中空構造のプラスチック段ボールを用いた組立式コンテナにおいて、底体１の基盤をプラスチック製パレットとして、パレット６の上面周縁部にプラスチック製アングル材７の一方の側片７ａを水平にして溶着部Ｗで溶着により固定し、アングル材７の他方の側片７ｂを垂直上方へ向け、組立時には、アングル材７の垂直側片７ｂの内側に沿って側板２，３を起立させ、側板２，３の外側上部に蓋５を被せ、解体時には、底体１に側板２，３を横倒しにして重ね、アングル材７の垂直側片７ｂの外側に蓋５を被せる。【選択図】図１
2008081127.tif 000002
【特許請求の範囲】
【請求項１】
底体と、周壁を形成する側板及び支柱と、蓋とから成り、側板及び蓋の材料としてリブを有する中空構造のプラスチック段ボールを用いた組立式コンテナにおいて、底体の基盤をプラスチック製パレットとして、パレットの上面周縁部にプラスチック製アングル材の一方の側片を水平にして溶着により固定し、アングル材の他方の側片を垂直上方へ向け、組立時には、アングル材の垂直側片の内側に沿って側板を起立させ、側板の外側上部に蓋を被せ、解体時には、底体に側板を横倒しにして重ね、アングル材の垂直側片の外側に蓋を被せるようにしたことを特徴とする組立式コンテナ。
【請求項２】
請求項１に記載の組立式コンテナにおいて、アングル材に設けた溝部が水平側片と反対の内向きになるようにして、溝部の底壁もまたパレットに溶着により固定し、アングル材の溝部に側板を挿入するようにしたことを特徴とする組立式コンテナ。
【請求項３】
請求項１又は２に記載の組立式コンテナにおいて、蓋の上面に、隅部から内側へ間隔をあけてプラスチック製係止具を溶着により取り付け、段積みしたとき、上段側コンテナのパレットの裏面中間部の桁に下段側コンテナの係止具が係合して、積みずれが防止されるようにしたことを特徴とする組立式コンテナ。
【発明の詳細な説明】
【技術分野】
【０００１】
この発明は、物品の運搬に繰り返して使用する組立式のコンテナに関するものである。
【背景技術】
【０００２】
従来、下記特許文献１には、図７に示すように、パレット５８に底皿５１を取り付けた底体５０と、稜部にヒンジ付き支柱５４を有する側板５２，５３と、蓋５５とから成り、底皿５１、側板５２，５３及び蓋５５の材料として、リブを有する中空構造のプラスチック段ボールを使用した組立式コンテナが記載されている。
【０００３】
底体５０の底皿５１と蓋５５とは、基板部５１ａ，５５ａから縁部５１ｂ，５５ｂを折り曲げ、その隅部分に金属製のコーナー材５７を沿わせ、コーナー材５７と縁部５１ｂ，５５ｂとをリベット等で固定することにより形成される。パレット５８は木製とされ、底皿５１の基板部５１ａとパレット５８とはビス等で固定される。
【０００４】
このコンテナを物品輸送のため組み立てる際には、側板５２，５３を底皿５１の縁部５１ｂの内側に沿って起立させ、側板５２，５３の外側上部に蓋５５を被せ、保管時や物品納入先からの返送時に解体する際には、支柱５４のヒンジ部で折り畳んだ側板５２，５３を、横倒しにして底皿５１に重ね、底皿５１の外側に蓋５５を被せる。
【０００５】
また、上記コンテナには、段積み時の積みずれを防止するため、蓋５５の隅部に金属製のコーナー材を別途リベット等で上方へ突出するように取り付けたり、コーナー材５７を上方へ延ばしたり、上方へ突出するプラスチック製パッドを両面テープやリベットで取り付けることがある。
【０００６】
【特許文献１】特開平１１−１０００３０号公報
【発明の開示】
【発明が解決しようとする課題】
【０００７】
しかしながら、上記のような組立式コンテナでは、蓋５５を底皿５１よりも一回り大きくする必要があるため、組立時には、側板５２，５３と蓋５５の縁部５５ｂとの間にプラスチック段ボールの厚さ分の隙間が生じ、蓋５５ががたつくという問題があった。
【０００８】
また、荷扱い作業時に、積みずれ防止用のコーナー材が変形したり、リベットが脱落してコンテナ内に紛れたりすることがあるほか、両面テープを使用したものでは、屋外保管時に雨に濡れて両面テープの接着力が低下し、パッドが外れることもあった。
【０００９】
さらに、廃棄処理する際、リベットや両面テープによる部材の固定部分を分離して、材料の種類ごとに分別しなければならず、この作業に手間がかかるという問題もあった。
【００１０】
そこで、この発明は、蓋ががたつかず、段積み時の積みずれを確実に防止でき、廃棄処理も容易な組立式コンテナを提供することを課題とする。
【課題を解決するための手段】
【００１１】
上記課題を解決するため、この発明は、底体と、周壁を形成する側板及び支柱と、蓋とから成り、側板及び蓋の材料としてリブを有する中空構造のプラスチック段ボールを用いた組立式コンテナにおいて、底体の基盤をプラスチック製パレットとして、パレットの上面周縁部にプラスチック製アングル材の一方の側片を水平にして溶着により固定し、アングル材の他方の側片を垂直上方へ向け、組立時には、アングル材の垂直側片の内側に沿って側板を起立させ、側板の外側上部に蓋を被せ、解体時には、底体に側板を横倒しにして重ね、アングル材の垂直側片の外側に蓋を被せるようにしたのである。
【００１２】
また、アングル材に設けた溝部が水平側片と反対の内向きになるようにして、溝部の底壁もまたパレットに溶着により固定し、アングル材の溝部に側板を挿入することにより、アングル材の取付部分を強化すると共に、側板の転倒を防止することとしたのである。
【００１３】
また、蓋の上面に、隅部から内側へ間隔をあけてプラスチック製係止具を溶着により取り付け、段積みしたとき、上段側コンテナのパレットの裏面中間部の桁に下段側コンテナの係止具が係合して、積みずれが防止されるようにしたのである。
【発明の効果】
【００１４】
この組立式コンテナでは、解体時に、厚さの大きい底皿の縁部ではなく、硬質プラスチックで薄く形成されるアングル材の垂直側片の外側に蓋を被せるので、蓋をあまり大きくする必要がなく、組立時に蓋の縁部と側板の間に生じる隙間を小さくすることができ、蓋のがたつきが防止される。
【００１５】
また、蓋の上面に、隅部から内側へ間隔をあけてプラスチック製係止具を溶着により取り付けたので、荷扱い作業時における係止具の損傷やリベットの脱落が防止され、段積み時の積みずれを確実に防止できる。
【００１６】
さらに、プラスチック製の部材を溶着により固定して構成しているので、廃棄処理に際し、リベット等を外して材料の種類ごとに分別する必要がなく、解体時のそのままの状態で廃棄して、リサイクル処理することができる。
【発明を実施するための最良の形態】
【００１７】
以下、この発明の実施形態を添付図面に基づいて説明する。
【００１８】
図１に示す第１実施形態の組立式コンテナは、底体１と、周壁を形成する側板２，３及びその支柱４ａ，４ｂと、蓋５とから構成される。側板２，３及び蓋５は、リブを有する中空構造のプラスチック段ボールを材料として用いている。
【００１９】
底体１は、プラスチック製パレット６の上面周縁４辺に臨む部分に、それぞれ硬質プラスチック製のアングル材７を配置し、アングル材７の内側にプラスチック段ボールの底シート８を敷設したものとされている。
【００２０】
ここで、図５に示すように、アングル材７の一方の側片７ａは、外向き水平にして溶着部Ｗでの溶着によりパレット６に固定され、他方の側片７ｂは、垂直上方へ向けられている。また、アングル材７に設けられた溝部７ｃが内向きになるようにして、溝部７ｃの底壁もまたパレット６に溶着部Ｗでの溶着により固定され、溝部７ｃの端壁の突条により底シート８がパレット６に保持されるようになっている。
【００２１】
隣接する側板２，３の稜部を繋ぐ支柱４ａと、周壁の対向する２面の中央部で２枚の側板３を繋ぐ支柱４ｂとは、硬質プラスチック製のヒンジ付きのものとされ、支柱４ａと支柱４ｂとは逆方向に屈曲するようになっている。側板２，３と支柱４ａ，４ｂとは、溶着部Ｗでの溶着により固定されている。
【００２２】
蓋５は、矩形の基板部５ａの各辺に連設した縁部５ｂを折り曲げ、その隅部分にプラスチック製のＬ字状コーナー材９を沿わせて、コーナー材９と縁部５ｂとを溶着部Ｗでの溶着により固定して形成されている。
【００２３】
蓋５の上面には、各隅部から内側へ間隔をあけて、プラスチック製のブロック状の係止具１０が取り付けられている。係止具１０は、その裏側の突起を、基板部５ａに穿設した貫穴に挿入し、その部分を溶着部Ｗとして溶着により固定されている。
【００２４】
ここで、溶着部Ｗでの溶着手段としては、高温体の押し当てによる熱溶着、超音波振動を与えて摩擦熱により昇温させる超音波溶着、高周波電界を与えて発熱させる高周波溶着等を採用することができる。
【００２５】
上記組立式コンテナを物品輸送のため組み立てる際には、図１、図２及び図５に示すように、底体１に物品を積み込み、アングル材７の垂直な側片７ｂの内側に沿って溝部７ｃに挿入するように側板２，３を起立させ、側板２，３の外側上部に蓋５を被せる。
【００２６】
この組立状態では、図３に示すように、複数個のコンテナを段積みするとき、上段側コンテナのパレット６の裏面中間部に形成された十字状の桁６ａの部分に、下段側コンテナの係止具１０が係合して、積みずれが防止される。
【００２７】
ここで、係止具１０は、ブロック状のプラスチック製であり、溶着により蓋５に固定されているので、荷扱い作業時における損傷や固定部分の劣化が防止され、段積みに支障が生じたり、積みずれ防止機能が失われたりすることがない。
【００２８】
一方、この組立式コンテナを保管しておく際や物品納入先から返送する際には、図４に示すように、側板２，３を支柱４ａ，４ｂのヒンジ部で折り畳んで、底体１に横倒しにして重ね、アングル材７の垂直な側片７ｂの外側に蓋５を被せる。
【００２９】
このように、上記組立式コンテナでは、硬質プラスチックで薄く形成されるアングル材７の垂直な側片７ｂの外側に蓋５を被せるので、蓋５をあまり大きくする必要がなく、組立時に蓋５の縁部５ｂと側板２，３の間に生じる隙間を小さくすることができ、蓋５のがたつきが防止される。
【００３０】
なお、図６に示す第２実施形態のように、一対の側板２に固定する支柱４ｃを途中の高さまでとしておき、他対の側板３に残りの高さに対応する支柱４ｄを固定し、アングル材７の溝部７ｃに側板２の下部を挿入して、側板２の転倒を防止しつつ、支柱４ｃの溝に側板３を、支柱４ｄの溝に側板２をそれぞれ差し込んで、側板２，３を起立状態に保持する構成としてもよい。
【００３１】
上記各実施形態の組立式コンテナは、プラスチック製の部材により構成され、これらの取付部分が溶着で固定されているので、廃棄処理に際し、リベット等を外して材料の種類ごとに分別する必要がなく、解体時のそのままの状態で廃棄して、リサイクル処理することができる。
【図面の簡単な説明】
【００３２】
【図１】この発明の第１実施形態に係る組立式コンテナの分解斜視図
【図２】同上の組立状態を示す斜視図
【図３】同上の段積み時の上下コンテナの係合部を示す斜視図
【図４】同上の解体状態を示す斜視図
【図５】同上のアングル材取付部の拡大縦断側面図
【図６】この発明の第２実施形態に係る組立式コンテナの分解斜視図
【図７】従来の組立式コンテナの分解斜視図
【符号の説明】
【００３３】
１  底体
２，３  側板
４ａ，４ｂ，４ｃ，４ｄ  支柱
５  蓋
５ａ  基板部
５ｂ  縁部
６  パレット
７ａ，７ｂ  側片
７ｃ  溝部
８  底シート
９  コーナー材
１０  係止具
Ｗ  溶着部
【図１】
2008081127.tif 000003
【図２】
2008081127.tif 000004
【図３】
2008081127.tif 000005
【図４】
2008081127.tif 000006
【図５】
2008081127.tif 000007
【図６】
2008081127.tif 000008
【図７】
2008081127.tif 000009